(57)【要約】【課題】  表示手段の画面の表示領域に表示しようとする画像のサイズの大小にかかわらず、その表示対象の画像の全体を表示して確認することができる移動体通信端末を提供する。【解決手段】  移動体通信端末（携帯電話機）１０は、画像を表示するためのディスプレイ１１０とディスプレイ１１０を制御する表示制御部１２４と主制御部（画像処理手段）１２０とを備える。ディスプレイ１１０の画面１１１は、内部メモリ１２１にユーザが保存した画像を表示することができるユーザ用表示領域１１１ｃと、移動体通信端末の動作に関連した情報を優先的に表示するための端末動作情報用表示領域１１１ａ，１１１ｂとを有する。主制御部１２０は、内部メモリ１２１から読み出してディスプレイ１１０に表示しようとする表示対象の画像全体がユーザ用表示領域１１１ｃ内に入るように表示対象の画像をサイズ変換処理する。【選択図】  図１
2005293063.tif 000002
【特許請求の範囲】
【請求項１】
画像を表示するための表示手段と、該表示手段を制御する表示制御手段とを備えた移動体通信端末であって、
上記表示手段の画面の表示領域に表示しようとする表示対象の画像全体が該表示領域内に入るように該表示対象の画像をサイズ変換処理する画像処理手段を備えたことを特徴とする移動体通信端末。
【請求項２】
請求項１の移動体通信端末において、
画像を記憶するための画像記憶手段を備え、
上記表示手段の画面は、該画像記憶手段にユーザが保存した画像を表示することができるユーザ用表示領域と、当該移動体通信端末の動作に関連した情報を優先的に表示するための端末動作情報用表示領域とを有し、
上記画像処理手段は、該画像記憶手段から読み出して該表示手段に表示しようとする表示対象の画像全体が該ユーザ用表示領域内に入るように該表示対象の画像をサイズ変換処理することを特徴とする移動体通信端末。
【請求項３】
請求項１の移動体通信端末において、
上記表示手段の画面の全画素に対応する描画データを記憶するための描画データ記憶手段を備え、
上記画像処理手段は、上記画像記憶手段に保存している表示対象の画像のデータに対して上記サイズ変換処理を行い該描画データを生成して該描画データ記憶手段に保存し、
上記表示制御手段は、該描画データ記憶部に保存されている描画データに基づいて該表示手段に画像を表示するように制御することを特徴とする移動体通信端末。
【請求項４】
請求項１乃至３のいずれかの移動体通信端末において、
画像を撮像するための撮像手段を備え、
上記表示対象の画像が、該撮像手段で撮像した画像であることを特徴とする移動体通信端末。
【発明の詳細な説明】
【技術分野】
【０００１】
本発明は、画像を表示するための表示手段を備えた携帯電話機等の移動体通信端末に関するものである。
【背景技術】
【０００２】
従来、この種の移動体通信端末として、画像を表示することができる表示手段としてのディスプレイを備えた携帯電話機が知られている（例えば、特許文献１参照）。このディスプレイの画面には、画像データ記憶手段としての内部メモリに予め保存されている画像や、ユーザがダウンロードして内部メモリに保存した画像、ユーザがカメラで撮影した画像等を表示することができる。
【特許文献１】特開２００１−２８５６４号公報
【発明の開示】
【発明が解決しようとする課題】
【０００３】
しかしながら、上記従来の携帯電話機のようにディプレイを備えた移動体通信端末では、ユーザが表示しようとする一つの画像の全体をディスプレイの画面内に一括表示して画像全体のイメージを把握することができない場合があった。
例えば、表示対象の画像の画素とディスプレイの画面の表示領域の画素とを１対１に対応付けて画像を表示する場合、表示対象の画像の画素数がディスプレイの画面の表示領域の画素数よりも多いと、ディスプレイの画面の表示領域には画像の一部しか表示されない。そのため、画像の全体を確認し、画像全体のイメージを把握することができない
また、移動体通信端末のディスプレイの画面に、電池残量や電波強度等のピクト情報やユーザのキー操作を案内するキー操作案内情報を表示する場合がある。このピクト情報やキー操作案内情報は、ディスプレイの画面の上部及び下部に設定されたピクト領域やソフトキー領域等の端末動作情報用表示領域に優先的に表示される。そのため、ユーザが選択した表示対象の画像をディスプレイの画面の全体に表示しようとすると、その表示対象の画像の上部及び下部が、ピクト情報やキー操作案内情報を優先的に表示する端末動作情報用表示領域で隠されてしまう。例えば図５（ａ）に示す画像を表示する場合、その画像の上部及び下部が図５（ｂ）に示すようにディスプレイの画面１１１のシステム用表示領域１１１ａ，１１１ｂで隠されてしまう。従って、ユーザ用表示領域（実画面領域）１１１ｃには画像の一部しか表示されず、画像の全体を確認することができず、画像全体のイメージを把握することができない。
【０００４】
本発明は以上の問題点に鑑みなされたものであり、その目的は、表示手段の画面の表示領域に表示しようとする画像のサイズの大小にかかわらず、その表示対象の画像の全体を表示して確認することができる移動体通信端末を提供することである。
【課題を解決するための手段】
【０００５】
上記目的を達成するために、請求項１の発明は、画像を表示するための表示手段と、該表示手段を制御する表示制御手段とを備えた移動体通信端末であって、上記表示手段の画面の表示領域に表示しようとする表示対象の画像全体が該表示領域内に入るように該表示対象の画像をサイズ変換処理する画像処理手段を備えたことを特徴とするものである。
また、請求項２の発明は、請求項１の移動体通信端末において、画像を記憶するための画像記憶手段を備え、上記表示手段の画面は、該画像記憶手段にユーザが保存した画像を表示することができるユーザ用表示領域と、当該移動体通信端末の動作に関連した情報を優先的に表示するための端末動作情報用表示領域とを有し、上記画像処理手段は、該画像記憶手段から読み出して該表示手段に表示しようとする表示対象の画像全体が該ユーザ用表示領域内に入るように該表示対象の画像をサイズ変換処理することを特徴とするものである。
また、請求項３の発明は、請求項１の移動体通信端末において、上記表示手段の画面の全画素に対応する描画データを記憶するための描画データ記憶手段を備え、上記画像処理手段は、上記画像記憶手段に保存している表示対象の画像のデータを読み出して上記サイズ変換処理を行い該描画データを生成して該描画データ記憶手段に保存し、上記表示制御手段は、該描画データ記憶部に保存されている描画データに基づいて該表示手段に画像を表示するように制御することを特徴とするものである。
また、請求項４の発明は、請求項１乃至３のいずれかの移動体通信端末において、画像を撮像するための撮像手段を備え、上記表示対象の画像が、該撮像手段で撮像した画像であることを特徴とするものである。
【０００６】
なお、上記表示対象に表示する「画像」のデータとしては、移動体通信端末内のデータ記憶手段に保存されている画像、移動体通信端末に装着されたメモリーカードなどの外部記憶装置に保存されている画像、移動体通信端末で実行するアプリケーションプログラムに組み込まれている画像等が挙げられる。また、上記「画像」は、移動体通信端末に設けたカメラ部で撮影した画像や、移動体通信端末から通信ネットワークを介してアクセス可能なサーバに保存されている画像であってもよい。
上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division ynchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機等の電話機のうち、アプリケーションプログラム実行可能なものが挙げられる。また、この「移動体通信端末」としては、上記電話機のほか、電話機能を有しないＰＤＡ（Personal Digital Assistance）等の移動型の移動体通信端末も挙げられる。
また、上記移動体通信端末における表示制御は、その移動体通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００７】
請求項１乃至４の発明によれば、表示手段の画面の表示領域に表示しようとする表示対象の画像全体が表示領域内に入るように表示対象の画像をサイズ変換処理して表示する。このサイズ変換処理により、表示手段の画面の表示領域に、表示対象の画像の全体を確実に表示することができる。従って、表示手段の画面の表示領域に表示しようとする画像のサイズの大小にかかわらず、表示対象の画像全体を表示して確認できるという効果がある。
特に、請求項２の発明によれば、表示手段の画面がユーザ用表示領域と端末動作情報用表示領域とを有する場合に、表示対象の画像全体がユーザ用表示領域内に入るように表示対象の画像をサイズ変換処理して表示する。このサイズ変換処理により、表示手段の画面のユーザ用表示領域に、表示対象の画像の全体を確実に表示することができる。従って、表示手段の画面がユーザ用表示領域と端末動作情報用表示領域とを有する場合に、画像のサイズの大小にかかわらず、ユーザ用表示領域に表示対象の画像全体を確実に表示して確認できるという効果がある。
また特に、請求項３の発明によれば、画像記憶手段に保存されている表示対象の画像のデータを読み出し、上記画面の表示領域内に入るようなサイズ変換処理を行って描画データを生成するので、サイズ変換処理前の画像のデータを画像記憶手段に残して再利用できるという効果がある。
また特に、請求項４の発明によれば、表示手段の画面の表示領域に、撮像手段で撮像した画像の全体を確実に表示できるので、その撮像した画像の全体を表示して確認できるという効果がある。
【発明を実施するための最良の形態】
【０００８】
以下、本発明を情報通信端末としての携帯電話機に適用した実施形態について説明する。
〔実施形態１〕
図１は本発明の実施形態に係る携帯電話機の概略構成を示すブロック図である。図２は同携帯電話機の外観構成を示す正面図である。本実施形態の携帯電話機１０は、ヒンジ部１００を中心にして互いに揺動可能な本体部１０１と蓋部１０２とから成るクラムシェル（折り畳み）タイプの携帯電話機である。この携帯電話機１０は、制御手段としての主制御部１２０と、記憶手段としての内部メモリ１２１と、通信手段としての無線通信部１２２及びアンテナ１１２と、表示手段としての表示部１２５、操作手段としてのキー操作部１２６を備えている。更に、携帯電話機１０は、撮像手段としての撮像デバイス１１３及び外部記憶装置としてのメモリーカードドライブ装置１１５を備えている。
【０００９】
上記主制御部１２０は、例えばＣＰＵ、キャッシュメモリ、ＲＯＭ、システムバス等で構成され、所定の制御プログラムを実行することにより、内部メモリ１２１や無線通信部１２２等の各部との間でデータの送受信を行ったり、各部を制御したりする。この主制御部１２０には、音声処理部１２３を介してマイク１０８及びスピーカ１０９が接続され、表示制御手段としての表示制御部１２４を介して表示部１２５が接続されている。更に、主制御部１２０には、キー操作部１２６、撮像デバイス１１３、及び外部記憶装置としてのメモリーカード１１５を装着するメモリーカードドライブ装置１１４も接続されている。
【００１０】
また、上記主制御部１２０は画像処理手段としても用いられる。主制御部１２０は、画像処理手段として、内部メモリ１２１等の所定の画像データ記憶領域に保存されている画像のデータを読み出して描画データを生成し、内部メモリ１２１の所定の描画データ記憶領域に保存する。また、主制御部１２０は、ユーザが内部メモリ１２１等に保存している各種サイズの画像を表示部１２５に表示するとき、次のようなサイズ変換処理を行って描画データを生成する。すなわち、主制御部１２０は、内部メモリ１２１から読み出して表示部１２５に表示しようとする表示対象の画像が、表示部１２５の画面１１１の後述の実画面領域（ユーザ用表示領域）１１１ｃよりも大きい場合に、その表示対象の画像全体がユーザ用表示領域１１１ｃ内に入るように表示対象の画像をサイズ変換処理する。
更に、主制御部１２０は、サイズ変換処理後の画像について描画データを生成して内部メモリ１２１の描画データ記憶領域に保存する。
【００１１】
上記内部メモリ１２１は、例えばＲＡＭやＲＯＭなどの半導体メモリで構成され、主制御部１２０で実行する制御プログラムや各種データを記憶するものである。また、この内部メモリ１２１は、情報提供サイトなどからダウンロードした画像、音楽、プログラム等のコンテンツデータを記憶するコンテンツデータ記憶手段としても用いられる。更に、この内部メモリ１２１は、スピーカ１０９から出力する音のデータを記憶する音データ記憶手段としても用いられる。
また、内部メモリ１２１は、表示部１２５に表示する表示対象の画像を記憶するための画像記憶手段や、表示部１２５を構成する液晶ディスプレイ１１０の画面１１１の全画素に対応する描画データを記憶するための描画データ記憶手段としても用いられる。
【００１２】
上記表示制御部１２４は、主制御部１２０から送られてきた描画データに基づいて表示部１２５に画像を表示するように制御する。
【００１３】
上記表示部１２５は蓋部１０２側に設けられ、液晶パネル等からなるディスプレイ１１０を用いて構成されている。この表示部１２５には、内部メモリ１２１やメモリーカード１１４に保存している画像等を表示することができる。
【００１４】
図３は、表示部１２５を構成するディスプレイ１１０の画面１１１の説明図である。この画面１１１は、端末動作情報用表示領域としてのピクト情報表示領域１１１ａ及びソフトキー表示領域１１１ｂと、ユーザ用表示領域としての実画面領域１１１ｃとにより構成されている。ピクト情報表示領域１１１ａ及びソフトキー表示領域１１１ｂは、携帯電話機１０の動作に関連した情報を優先的に表示するため領域である。上部のピクト情報表示領域１１１ａには、電池残量や電波強度などのピクト情報が表示される。また、下部のソフトキー表示領域１１１ｂには、多機能キー１０７ａ〜１０７ｃに定義されたソフトキーの内容が表示される。一方、画面１１１の中央部に位置する設定された実画面領域１１１ｃには、内部メモリ１２１等にユーザが保存した各種画像を表示することができる。
【００１５】
上記キー操作部１２６は、データ入力キー１０３（テンキー、＊キー、＃キー）、通話開始キー１０４、終話キー１０５、スクロールキー１０６、多機能キー１０７ａ〜１０７ｃ等を備え、電話の発信や着信のほか、表示部１２５に表示される情報のスクロールや選択等に用いる。
【００１６】
上記無線通信部１２２は主制御部１２０で制御され、アンテナ１１２を介して、所定の通信方式により通信ネットワークとしての携帯電話通信網の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。
【００１７】
上記撮像デバイス１１３としては、例えばＣＣＤ（Charge Coupled Device）カメラやＣＭＯＳカメラを用いることができる。また、使用環境に応じて、信号処理機能を備えた高速撮像が可能な人工網膜カメラや、赤外線やガンマ線等の可視光線以外の波長領域に感度を有するカメラを用いてもよい。この撮像デバイス１１３のカメラレンズ部は、液晶ディスプレイ（ＬＣＤ）１１０がある前面とは反対側の背面に設けられている。この撮像デバイス１１３は、人物や風景等の画像を撮影したり、接写機能によりコード画像を撮影したりするときに用いられる。
この撮像デバイス１１３で撮影された画像のデータは、主制御部１２０により所定のファイル形式で内部メモリ１２１やメモリーカード１１４に保存される。内部メモリ１２１等に保存された画像は、表示部１２５を構成するディスプレイ１１０の画面１１１に表示したり、メールに添付して他の携帯電話機やサーバに通信ネットワークを介して送信したりすることができる。
【００１８】
上記メモリーカードドライブ装置１１５は、メモリーカード１１４を着脱可能にするための機構を有するとともに、メモリーカード１１４の電極端子に接触する端子を介してデータ送受信するインターフェース部を有している。
【００１９】
図４は、上記構成の携帯電話機１０における画像表示の動作の一例を示すフローチャートである。ここでは、ユーザが撮像デバイス１１３で撮影した画像をディスプレイ１１０の画面１１１に表示する場合について説明する。上記撮影した画像は、ＱＣＩＦ（Quarter Common Intermediate Format）形式で内部メモリ１２１に保存されている。また、ディスプレイ１１０の画面１１１の全体サイズは、２４０画素（横）×３２０画素（縦）のＱＶＧＡ（Quarter Video Graphics Array）サイズであり、画面１１１中の実画面領域１１１ｃのサイズは、２４０画素（横）×２２４画素（縦）である。
【００２０】
まず、ユーザがカメラモードの実行中に撮像画像を特定して表示するメニューを選択すると、主制御部１２０は、その撮像画像のファイルを内部メモリ１２１から読み出す（ステップ１）。
次に、主制御部１２０は、読み出した撮像画像の画像サイズを確認し、拡大率を決定する（ステップ２，３）。ここで、撮像画像はＱＣＩＦ形式で保存されているので、その画像サイズは１４４画素（横）×１７６画素（縦）である。従来は、この画像を画面全体のＱＶＧＡサイズまで拡大していたので、サイズ変換処理時の拡大率を約１．６７倍に設定していた。これに対し、本実施形態では、表示対象の撮像画像の全体が実画面領域（横：２４０画素×縦：２２４画素）１１１ｃ内に表示されるように、サイズ変換処理時の拡大率を約１．２７倍に設定している。
次に、主制御部１２０は、上記所定の拡大率で撮像画像のサイズ変更処理を実行する（ステップ４）。サイズ変換処理後の表示対象の画像のサイズは１６８画素（横）×２２４画素（縦）である。主制御部１２０は、このサイズ変換処理後の画像について描画データを生成し、内部メモリ１２１の描画データ記憶領域に保存する（ステップ５）。
次に、主制御部１２０は、上記描画データを内部メモリ１２１から読み出し、画像表示指令とともに表示制御部１２４に送る。表示制御部１２４は、主制御部１２０から受けた描画データに基づいて表示部１２５を制御する。これにより、図３に示すように、サイズ変換処理後の画像３００の全体が、ディスプレイ１１０の画面１１１中の実画面領域１１１ｃ内に表示される（ステップ６）。
【００２１】
以上、本実施形態によれば、ディスプレイ１１０の画面１１１中の実画面領域１１１ｃに表示しようとする表示対象の撮像画像３００の全体が実画面領域１１１ｃ内に入るように表示対象の画像３００をサイズ変換処理して表示する。このサイズ変換処理により、ディスプレイ１１０の画面１１１中の実画面領域１１１ｃに、表示対象の撮像画像３００の全体を確実に表示することができる。従って、実画面領域１１１ｃに表示しようとする画像のサイズの大小にかかわらず、表示対象の撮像画像３００の全体を表示して確認できる。
また、本実施形態によれば、内部メモリ１２１等に保存されている表示対象の画像のデータを読み出し、画面１１１中の実画面領域１１１ｃ内に入るようなサイズ変換処理を行って描画データを生成する。従って、サイズ変換処理前の画像のデータを内部メモリ１２１等に残し、その後のディプレイへの表示やメールへの添付等に再利用することができる。
【００２２】
なお、上記実施形態では、サイズ変換処理前の表示対象の画像のサイズ及び実画面領域１１１ｃのサイズが特定の場合について説明したが、これに限定されることなく、本発明は適用でき、同様な効果が得られるものである。例えば、サイズ変換処理前の表示対象の画像のサイズが実画面領域１１１ｃのサイズ（横：２４０画素×縦：２２４画素）より大きく、サイズ変換処理を画像を拡大するように行う場合にも、本発明は適用できるものである。
また、上記実施形態では、撮像デバイス１１３で撮影した画像を表示する場合について説明したが、本発明は、サーバからダウンロードした画像やメールの添付ファイルとして受信した画像を表示する場合にも適用でき、同様な効果が得られるものである。
また、本発明は、画像を表示可能なものであれば、ＰＨＳ（Personal Handyphone System）、自動車電話機等の他の移動体通信端末の場合についても適用でき、同様な効果が得られるものである。
【図面の簡単な説明】
【００２３】
【図１】本発明の実施形態に係る携帯電話機のブロック図。
【図２】同携帯電話機の外観を示す正面図。
【図３】同携帯電話機におけるディスプレイ画面の説明図。
【図４】同携帯電話機における画像表示の動作のフローチャート。
【図５】（ａ）は表示対象の画像の例示した説明図。（ｂ）は従来の携帯電話機におけるディスプレイ画面の説明図。
【符号の説明】
【００２４】
１０  携帯電話機
１１０  ディスプレイ
１１１  画面
１１１ａ  ピクト情報表示領域
１１１ｂ  ソフトキー表示領域
１１１ｃ  実画面領域（ユーザ用表示領域）
１１４  メモリーカード
１１５  メモリーカードドライブ装置
１２０  主制御部
１２１  内部メモリ
１２４  表示制御部
１２５  表示部
１２６  キー操作部
３００  サイズ変換処理後の画像
【図１】
2005293063.tif 000003
【図２】
2005293063.tif 000004
【図３】
2005293063.tif 000005
【図４】
2005293063.tif 000006
【図５】
2005293063.tif 000007